(57)【要約】【課題】  パケット受信により携帯電話、携帯情報端末等の受信装置の消費電力が増加する。小型で長時間の利用を可能とするために、受信装置の低消費電力化という課題があった。【解決手段】  無線受信装置５０はパケット受信回路５に、電源領域Ａ部６と電源領域Ｂ部７と電源領域Ｃ部８とを備え、さらに、電源領域Ｂ部７への電源の供給をＯＮ／ＯＦＦに切り替える第１のスイッチ部１５ａと電源領域Ｃ部８への電源の供給をＯＮ／ＯＦＦに切り替える第２のスイッチ部１４ａとを備えた。電源領域Ｂ部７は自局へのパケットの受信有無を判定して判定結果を出力する制御チャネル受信部１１を備え、電源領域Ａ部６は、制御チャネル受信部１１からの判定結果に基づいて第１のスイッチ部１５ａと第２のスイッチ部１４ａとのＯＮ／ＯＦＦを制御して、電源領域Ｂ部７と電源領域Ｃ部８への電源の供給を、不要な時はＯＦＦすることにより消費電力を削減する。【選択図】        図１
2005333351.tif 000002
【特許請求の範囲】
【請求項１】
送信装置から第１チャネルで伝送される信号を受信する第１チャネル受信手段、
この第１チャネル受信手段に供給する電力を制御する電源制御手段、
上記第１チャネル受信手段で受信した、上記送信装置と通信する受信装置を示す通信用信号と、予め受信装置が保持して他の受信装置と識別可能な識別信号とが一致するか否かを判定する判断手段を備え、
この判定手段の判定結果が、上記通信用信号と上記識別信号とが一致しないことを示す場合に、
上記電源制御手段が、上記第１チャネル受信手段の電源を節電モードにすることを特徴とする受信装置。
【請求項２】
送信装置から第２チャネルで伝送される信号を受信する第２チャネル受信手段を備え、
電源制御手段は、
判定手段の判定結果が、第１チャネル受信手段で受信した通信用信号と識別信号とが一致しないことを示す場合に、上記第２チャネル受信手段の電源を節電モードにすることを特徴とする請求項１記載の受信装置。
【請求項３】
第１チャネルは、
第１サブフレームを構成する複数のスロットのうち先頭スロットで、送信装置と通信する受信装置を示す通信用信号を伝送し、
電源制御手段は、
上記第１サブフレームの先頭スロットの到来時期に応じて第１チャネル受信手段に供給する電力を通常モードにするものであることを特徴とする請求項２記載の受信装置。
【請求項４】
第２チャネルは、
第２サブフレームで、上記通信用信号が示す受信装置に向けて送信装置が送信するデータを伝送し、
電源制御手段は、
判定手段の判定結果が、通信用信号と識別信号とが異なることを示す場合に、上記通信用信号と対応する上記第２サブフレームの間、上記第２チャネル受信手段の節電モード状態を維持し、
上記判定結果が、上記通信用信号と識別信号とが一致することを示す場合は、上記第２チャネル受信手段に供給する電力を通常モードとし、
上記第２チャネル受信手段で受信した信号のデータ量が、上記第２サブフレームの間に上記第２チャネルで伝送される所定のデータ量に達した場合に、供給する電力を節電モードにすることを特徴とする請求項３記載の受信装置。
【請求項５】
第２サブフレームは、上記第２サブフレームの前半の時期と第１サブフレームの先頭スロットよりも後の時間とが重なるものであり、
電源制御手段は、
第１チャネル受信手段に供給される電力が通常モードに高められた後に、第２チャネル受信手段に供給される電力を遅れて高めることを特徴とする請求項４記載の受信装置。
【請求項６】
第１チャネル受信手段又は第２チャネル受信手段は、
復号機に加えて、逆拡散回路、位相補償回路又はパス合成回路のいずれか一つ又は複数を有することを特徴とする請求項１乃至請求項５記載の受信装置。
【発明の詳細な説明】
【技術分野】
【０００１】
この発明は、受信装置、例えば携帯電話、携帯情報端末等の無線受信装置における、パケット受信時の消費電力を削減することを目的とした電源分離回路を備えた受信装置に関するものである。
【背景技術】
【０００２】
従来の無線受信装置においては、受信状態が悪く、受信データをディジタル回路により誤り無く完全に送信されたデータに再現するエラーフリーディジタル復調できないときに、受信フロントエンド以外の電源供給を中止するための電源制御手段を備えた構成にしている。例えば、特開２００３−１１０９６３号公報（第１頁、第２図）に、従来の地上ディジタル放送用受信機について、フロントエンドが受信不可能な場合、フロントエンド以外のブロックへの電源供給を中止して、消費電力が増加するのを防止することが記載されている。
【特許文献１】特開２００３−１１０９６３号公報（第１頁、第２図）
【発明の開示】
【発明が解決しようとする課題】
【０００３】
従来の無線受信装置は以上のように構成されているので、対象チャネルを受信する際には受信フロントエンド回路の電源を常にＯＮしなければならない。あるいはＬＳＩの消費電力を削減するために非受信時にＳ／Ｗ（「Ｓ／Ｗ」は「ソフトウェア」である）により受信有無を確認して、確認した結果に基づいてＳ／Ｗにより電源をＯＮ／ＯＦＦすることが必要となる。またＳ／Ｗにより電源のＯＮ／ＯＦＦを制御する場合、制御周期が比較的長期となるため、最適な電源のＯＮ／ＯＦＦを実施できないという問題点があった。
【０００４】
この発明は、上記問題点を解決するため、以下のことを目的とする。
・受信装置、例えば携帯電話、携帯情報端末等の無線受信装置においてパケット受信を可能としつつ、Ｓ／Ｗによる電源のＯＮ／ＯＦＦ制御を容易化できるとともに、ＬＳＩの消費電力を削減できる装置を得る。
・上記した目的を達成する受信装置に適した回路分割方法を提供する。
【課題を解決するための手段】
【０００５】
この発明に係る受信装置は、送信装置から第１チャネルで伝送される信号を受信する第１チャネル受信手段、この第１チャネル受信手段に供給する電力を制御する電源制御手段、上記第１チャネル受信手段で受信した、上記送信装置と通信する受信装置を示す通信用信号と、予め受信装置が保持して他の受信装置と識別可能な識別信号とが一致するか否かを判定する判断手段を備え、この判定手段の判定結果が、上記通信用信号と上記識別信号とが一致しないことを示す場合に、上記電源制御手段が、上記第１チャネル受信手段の電源を節電モードにすることを特徴とする。
【発明の効果】
【０００６】
この発明の受信装置によれば、自受信装置と送信装置とが通信を行わない間は、他の受信装置と上記送信装置とが通信を行っている場合であっても、信号を受信するのに必要な消費電力を削減することができるという効果がある。
【発明を実施するための最良の形態】
【０００７】
実施の形態１．
この実施の形態では、パケット受信回路において、電源制御部および受信制御プロセッサから構成される電源領域Ａ部を備え、制御チャネル受信部から構成される電源領域Ｂ部を備え、データチャネル受信部から構成される電源領域Ｃ部を備えたパケット受信電源分離回路を備える受信装置の一例を説明する。
【０００８】
以下、この発明の実施の形態を図１について説明する。図１において、受信装置の一例である無線受信装置５０は、受信用のアンテナ１と、受信信号を無線周波数からベースバンド周波数へ変換してベースバンド信号を出力するＲＦ回路２と、ＲＦ回路２から出力されるベースバンド信号と再生タイミングとの同期をとる同期回路４を備える受信回路３と、第１チャネルである制御チャネルと第２チャネルであるデータチャネルとを有するパケットを受信するパケット受信回路５とを備える。パケット受信回路５は、電源制御部１０の動作開始／停止を指定する信号を出力するとともに、パケット受信を制御する受信制御プロセッサ９と、Ｈ／Ｗにより構成されパケット受信回路の電源を制御する電源制御部１０と、３スロットからなるサブフレームの先頭スロットの到来タイミングを電源制御部１０に通知するタイミング通知部１７とを備えた電源領域Ａ部を備えた。また、パケット受信回路５は、制御チャネル受信処理を行うとともに、自局へのデータの受信の有無を判定する判定回路である判定部１１ａを備えた制御チャネル受信部１１を備える電源領域Ｂ部７を備えた。また、パケット受信回路５は、データチャネル受信処理を行うデータチャネル受信部１２を備える電源領域Ｃ部８を備えた。また、無線受信装置５０は、電源をＯＮ／ＯＦＦするための第２のスイッチ部１４ａと第１のスイッチ部１５ａとを備える電源回路１３と、電源部１６とを備えた。無線受信装置５０は自身で電源部１６を備える構成にしたが、他の電源を供給する機器から電源を受給する構成にしてもかまわない。
【０００９】
図１の制御チャネル受信部１１は、第１チャネル受信手段の一例である。また、図１のデータチャネル受信部１２は第２チャネル受信手段の一例である。また、判定部１１ａは判定手段の一例である。また、電源制御部１０は、電源制御手段の一例である。
【００１０】
無線受信装置５０は、例えばＷ−ＣＤＭＡ（Ｗｉｄｅｂａｎｄ  ｃｏｄｅ  ｄｉｖｉｓｉｏｎ  ｍｕｌｔｉｐｌｅ  ａｃｃｅｓｓ）のＨＳＤＰＡ（Ｈｉｇｈ  Ｓｐｅｅｄ  Ｄｏｗｎｌｉｎｋ  Ｐａｃｋｅｔ  Ａｃｃｅｓｓ）受信装置であるものとすると、制御チャネル受信部１１がＨＳ−ＳＣＣＨ（Ｓｈａｒｅｄ  Ｃｏｎｔｒｏｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ））受信部となり、データチャネル受信部１２がＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）受信部となる。
【００１１】
Ｗ−ＣＤＭＡのＨＳＤＰＡ受信装置を例に取り、図２により無線受信装置５０の動作説明を行う。図２は、この実施の形態の無線受信装置を示すタイミングチャートである。図２において、図面の左から右へ時間が経過するものとする。また、図２中網掛け部分は電源が供給されていることを示し、白い部分は電源が供給されていないことを示している。ＨＳＤＰＡの受信物理チャネルは、ＨＳ−ＳＣＣＨ、ＨＳ−ＰＤＳＣＨから構成される。
基地局は（基地局は、送信装置の一例である。以下、基地局について同様とする）、ＨＳ−ＰＤＳＣＨで送信する信号について、サブフレーム（３スロットからなる）毎に通信する端末を切替ながら送信を行ってる。また、基地局は、ＨＳ−ＳＣＣＨで送信する信号について、サブフレーム（３スロットからなる）毎に通信する端末を切替ながら送信を行ってる。また、ＨＳ−ＰＤＳＣＨのサブフレームと、ＨＳ−ＳＣＣＨのサブフレームとは、２スロットずれる。図２中、ＨＳ−ＳＣＣＨは（１）、（２）の２つの部分から構成される。（１）を受信することにより、受信データの有無を判定できる。ＨＳ−ＰＤＳＣＨは（３）の部分から構成される。（３）の部分を第２サブフレームとする。図２のｂは、１スロットに相当する時間の長さを示しており、（１）は１スロット、（２）は２スロットを有するので、第１サブフレームは３スロット有する。また、（３）は３スロットを有するので、第２サブフレームは３スロット有する。
【００１２】
タイミング通知部１７は、ａのタイミングで電源制御部１０に対して第１サブフレームの先頭スロットの到来を通知する。この通知は、第１のスイッチ部１５ａをＯＮにして電源領域Ｂ部へ電源が供給されるようにするための通知である。ここでは、第１サブフレームの到来ごとに第１のスイッチ部１５ａをＯＮにして電源領域Ｂ部へ電源が供給されるようにする。また、タイミング通知部１７は、ｃのタイミングで電源制御部１０に対して第２サブフレームの先頭スロットの到来を通知する。この通知は、第２のスイッチ部１４ａをＯＮにして電源領域Ｃ部へ電源が供給されるようにするための通知である。ここでは、第２のサブフレームが到来して、判定部１１ａの判定結果が一致することを示している場合に、第２のスイッチ部１４ａをＯＮにして電源領域Ｃ部へ電源が供給されるようにする。
【００１３】
電源領域Ａ部６への電源が供給されると、タイミング通知部１７はａのタイミングで第１サブフレームの先頭スロットが到来したことを電源制御部１０へ通知する。電源制御部１０は、タイミング通知部１７からの通知を受けて第１のスイッチ部１５ａをオンに制御して通常モードにする。第１のスイッチ部１５ａがオンにされると、電源領域Ｂ部７の電源受給状態がＯＮになり、ＨＳ−ＳＣＣＨ受信部は（１）を受信する。制御チャネルは、第１サブフレームを構成する複数のスロットのうち先頭スロット（図２の（１））で、送信装置と通信する受信装置を示す通信用信号を伝送する。また、パケット受信回路５は、他の受信装置と自己を識別する識別信号を予め保持している。このため、ＨＳ−ＳＣＣＨ受信部は、通信用信号と識別信号とが一致するか否かを判定する。このとき、図２の（１）に対応する電源領域Ｃ部８は、（３）のデータ受信中でなければ第２のスイッチ部１４ａがＯＦＦになっていて、電源領域Ｃ部８への電源の供給はＯＦＦになっている（図２の左から１つ目と２つ目と３つ目の（１）に対応するｂの期間）。電源領域Ｃ部８への電源の供給をＯＦＦにすることにより、消費電力を削減する。一方、図２の（１）に対応する電源領域Ｃ部８は、（３）のデータ受信中であれば第２のスイッチ部１４ａがＯＮになっていて、電源領域Ｃ部８への電源の供給はＯＮになっている（図２の左から４つ目の（１）に対応するｂの期間）。
【００１４】
ＨＳ−ＳＣＣＨ受信部が（１）を受信して判定した結果は電源制御部１０へ通知される。通知された判定の結果が不一致の場合は、電源制御部１０は、第１のスイッチ部１５ａをＯＦＦに制御して節電モードにする。第１のスイッチ部１５ａをＯＦＦすることによって、（２）に相当する期間の電源領域Ｂ部７への電源の供給をＯＦＦにして、消費電力を削減する。これに対し、ＨＳ−ＰＤＳＣＨ受信部は、基地局が第２サブフレーム（３スロット）毎に通信する端末を切替ながら送信を行なっているため、３スロット分のデータを受信したら、受信したことを電源制御部１０へ通知する。電源制御部１０は通知を受けると第２のスイッチ部１４ａをＯＦＦに制御する（以下、他の実施の形態についても同じ）ので、電源領域Ｃ部８は節電モードになっていて、あらためて節電モードにする必要がない。通知された判定の結果が受信ありの場合は、電源制御部１０は、第１のスイッチ部１５についてはそのままＯＮに制御する。第２のスイッチ部１４ａについては、電源制御部１０は、図２のｃのタイミングで、タイミング通知部１７から通知を受けるとＯＮに制御して、電源領域Ｃ部８への電源の供給を通常モードにして、（３）を受信する。
【００１５】
以上のように、この実施の形態の受信装置は、消費電力の小さい受信装置を得られる効果がある。また、第１のスイッチ部と第２のスイッチ部のＯＮ／ＯＦＦを制御する電源制御部をＨ／Ｗにより構成することによって、Ｓ／Ｗにより構成するよりも制御周期を短くできるので、最適な電源のＯＮ／ＯＦＦを実施できる効果がある。
【００１６】
この実施の形態で説明した受信装置は、受信装置の一例として無線受信装置を用いて、電源が供給される部分を複数の電源領域部に分離し、受信チャネルのスロット構成を利用して電力制御を行うことにより、消費電力削減を実現する。受信チャネルのスロットは、自局への受信有無の判断に使用可能なデータ区間（例えば図２の（１）の区間）と、それ以外のデータ区間（例えば図２の（２）と（３）との区間）から構成されているものとした。無線受信装置に、判定手段を設けて通信用信号と識別信号とが不一致の場合に、例えば図２の（２）の区間について、パケット受信用電源領域部（例えば図１の電源領域Ｂ部）をＯＦＦする。受信ありと判断した場合、（３）の区間、パケット受信用電源領域部（例えば図１の電源領域Ｃ部）をＯＮする。このパケット受信用電源領域部を制御することにより不要な消費電力を削減するとともに、制御用プロセッサの制御負荷を軽減することにより、プロセッサの消費電力を削減するものである。
【００１７】
なお、データチャネルで伝送される１回あたりのデータ量が一定の場合は、タイミング通知部１７は、データチャネル受信部からの通知を受けることなく、データチャネルの末尾を自身で判定できる。このため、タイミング通知部１７は、データチャネルのデータの末尾の時期を電源制御部へ通知する。通知を受けた電源制御部１０は、通知された結果に基づいて、第２のスイッチ部１４ａをＯＦＦに制御する。
【００１８】
また、データチャネル受信部１２の一例であるＨＳ−ＰＤＳＣＨ受信部は、３スロット分のデータを受信したら、受信したことを電源制御部１０へ通知する。電源制御部１０は通知を受けると第２のスイッチ部１４ａをＯＦＦに制御するようにしていた。しかし、電源制御部は、第２サブフレームの到来の通知をタイミング通知部から通知された際、その通知の直前に制御チャネル受信部からの判定結果が不一致であったら、第２のスイッチ部１４ａをＯＦＦに制御してもかまわない。
【００１９】
実施の形態２．
上記実施の形態１では、制御チャネル受信部１１を電源領域Ｂ部７、データチャネル受信部１２を電源領域Ｃ部８へそれぞれ備えるように分離した。この実施の形態では、図３のように電源領域Ｂ部７に制御チャネル受信部１１と、データチャネル受信部１２とを備える構成にする。図３は、この実施の形態の無線受信装置を示す構成図である。図３において、電源領域Ｂ部７に制御チャネル受信部１１と、データチャネル受信部１２とを備えた点と、電源領域Ｃ部８を備えない点と、第２のスイッチ部１４ａを備えない点とが図１と異なる点である。その他の構成要素は図１と同様の構成要素であり、第１のスイッチ部１５ｂは、図１の第１のスイッチ部１５ａと同じ動作を行う。また、電源制御部１０は、第１のスイッチ部１５ｂのＯＮ／ＯＦＦを制御する。すなわち、電源制御部１０は、第１のスイッチ部１５ｂのＯＮ／ＯＦＦを制御して、電源領域Ｂ部７への電源の供給を制御する。
【００２０】
図４は、この実施の形態の無線受信装置を示すタイミングチャート図である。また、図４中、電源領域Ａ部と電源領域Ｂ部に対応して右側に記載している網掛け部分は電源が供給されていることを示し、白い部分は電源が供給されていないことを示している。図３のように、電源領域Ｂ部７に制御チャネル受信部１１と、データチャネル受信部１２とを備える構成にすると、図４のような電源制御を行う。電源制御部１０は、タイミング通知部１７から第１サブフレームの到来を通知されると、図４のａのタイミングに、第１のスイッチ部１５ｂをＯＮに制御して、電源領域Ｂ部７への電源の供給を通常モードに制御する。また、電源制御部１０は、制御チャネル受信部１１から通知された判定結果が不一致であった場合に、第１のスイッチ部１５ｂをＯＦＦに制御して電源領域Ｂ部７への電源の供給を節電モードに制御する。すなわち、図４の（２）と（３）に相当する期間について電源領域Ｂ部７への電源の供給をＯＦＦに制御することにより、消費電力を削減できる効果がある。
【００２１】
この実施の形態では、パケット受信回路において、電源制御部および受信制御プロセッサから構成される電源領域部Ａを備え、制御チャネル受信部１１、データチャネル受信部１２から構成される電源領域Ｂ部を備えたパケット受信電源分離回路を備える受信装置の一例を説明した。
【００２２】
実施の形態３．
上記発明の実施の形態１では、受信制御プロセッサ９、電源制御部１０を電源領域Ａ部６、制御チャネル受信部１１を電源領域Ｂ部７へそれぞれ備えるように分離した。この実施の形態では、図５のように電源領域Ａ部６に受信制御プロセッサ９と電源制御部１０と制御チャネル受信部１１とを備える構成にする。図５は、この実施の形態の無線受信装置を示す構成図である。図５において、電源領域Ａ部６に制御チャネル受信部１１を備えた点と、電源領域Ｂ部７を備えない点と、第１のスイッチ部１５ａを備えない点とが図１と異なる点である。その他の構成要素は図１と同様の構成要素であり、第１のスイッチ部１４ｃは、図１の第２のスイッチ部１４ａと同じ動作を行う。また、電源制御部１０は、第１のスイッチ部１４ｃのＯＮ／ＯＦＦを制御する。すなわち、電源制御部１０は、第１のスイッチ部１４ｃのＯＮ／ＯＦＦを制御して、電源領域Ｃ部への電源の供給を制御する。
【００２３】
図６は、この実施の形態の無線受信装置を示すタイミングチャート図である。また、図６中、電源領域Ａ部と電源領域Ｃ部に対応して右側に記載している網掛け部分は電源が供給されていることを示し、白い部分は電源が供給されていないことを示している。図５のように、電源領域Ａ部６に制御チャネル受信部１１を備える構成にすると、図６のような電源制御を行う。電源領域Ａ部６には（１）、（２）、（３）の期間電源が供給される。このため、制御チャネル受信部１１は、常に電源が供給されて動作可能である。すなわち、電源制御部１０は、タイミング通知部１７から第１サブフレームの先頭スロットの開始の到来を通知されると、制御チャネル受信部１１と判定部１１ａを動作させる信号を送信する。電源制御部１０から送信された信号を制御チャネル受信部１１が受信すると、制御チャネル受信部１１は制御チャネルのパケットを受信して、判定部１１ａによって通信用信号と識別子とが一致するか判定して、判定結果を電源制御部１０へ出力する。電源制御部１０は、制御チャネル受信部１１から通知された判定結果が一致することを示している場合に、タイミング通知部１７から第２のサブフレームの先頭スロットが開始した通知を受け取った時に（図６のｃのタイミング）、第１のスイッチ部１４ｃをＯＮに制御して、電源領域Ｃ部８への電源の供給を通称モードに制御する。また、制御チャネル受信部１１から通知された判定結果が不一致であった場合には、タイミング通知部１７から第２のサブフレームの先頭スロットが開始した通知を受け取っても、電源制御部１０は、第１のスイッチ部１４ｃをＯＦＦに制御したまま、電源領域Ｃ部８への電源の供給を節電モードに制御することにより、消費電力を削減できる効果がある。
【００２４】
この実施の形態では、パケット受信回路において、電源制御部、受信制御プロセッサおよび制御チャネル受信部から構成される電源領域Ａ部を備え、データチャネル受信部から構成される電源領域Ｃ部を備えたパケット受信電源分離回路を備える受信装置の一例を説明した。
【００２５】
実施の形態４．
上記発明の実施の形態１では、受信制御プロセッサ９、電源制御部１０を電源領域Ａ部６、データチャネル受信部１２を電源領域Ｃ部８へそれぞれ備えるように分離した。この実施の形態では、図７のように電源領域Ａ部６に受信制御プロセッサ９と電源制御部１０とデータチャネル受信部１２とを備える構成にする。図７は、この実施の形態の無線受信装置を示す構成図である。図７において、電源領域Ａ部６にデータチャネル受信部１２を備えた点と、電源領域Ｃ部８を備えない点と、第２のスイッチ部１４ａを備えない点とが図１と異なる点である。その他の構成要素は図１と同様の構成要素であり、第１のスイッチ部１５ｄは、図１の第１のスイッチ部１５ａと同じ動作を行う。但し、電源制御部１０は、データチャネル受信部１２から３スロット分のデータ受信が完了した通知を受けても、データチャネル受信部１２が備えられている電源領域Ａ部を制御するスイッチがないため、スイッチの制御は行わないものとする。また、電源制御部１０は、第１のスイッチ部１５ｄのＯＮ／ＯＦＦを制御する。すなわち、電源制御部１０は、第１のスイッチ部１５ｄのＯＮ／ＯＦＦを制御して、電源領域Ｂ部への電源の供給を制御する。
【００２６】
図８は、この実施の形態の無線受信装置を示すタイミングチャート図である。また、図８中、電源領域Ａ部と電源領域Ｂ部に対応して右側に記載している網掛け部分は電源が供給されていることを示し、白い部分は電源が供給されていないことを示している。図７のように、電源領域Ａ部６にデータチャネル受信部１２を備える構成にすると、図８のような電源制御を行う。電源領域Ａ部６には（１）、（２）、（３）の期間電源が供給される。このため、データチャネル受信部１２は、常に電源が供給されて動作可能である。すなわち、電源制御部１０は、データチャネル受信部１２への電源の供給について何ら制御を行わない。電源制御部１０は、電源領域Ｂ部７への、すなわち制御チャネル受信部１１への電源の供給についてのみ制御を行う。電源制御部１０は、タイミング通知部１７から送信された第１のサブフレームの先頭スロットの開始の到来を通知されると、第１のスイッチ部１５ｄをＯＮに制御して、電源領域Ｂ部７への電源を供給させて、通常モードに制御する。制御チャネル受信部１１は制御チャネルのパケットを受信して、判定回路によって通信用信号と識別子とが一致するかを判定して、判定結果を電源制御部１０へ出力する。電源制御部１０は、制御チャネル受信部１１から通知された判定結果が不一致の場合に、第１のスイッチ部１５ｄをＯＦＦに制御して、図８のようにパケット非受信時の（２）に相当する期間について電源領域Ｂ部７への電源の供給を節電モードに制御することにより、消費電力を削減できる効果がある。
【００２７】
この実施の形態では、パケット受信回路において、電源制御部、受信制御プロセッサおよびデータチャネル受信部から構成される電源領域Ａ部を備え、制御チャネル受信部から構成される電源領域Ｂ部を備えたパケット受信電源分離回路を備える受信装置の一例を説明した。
【００２８】
実施の形態５．
上記実施の形態１〜４の図２、図４、図６、図８では、データチャネル受信部１２によるデータチャネルのパケットを受信する区間は、３スロット分の長さ（図中の（３））であった。また、制御チャネル受信部１１による通信用信号と識別子との一致、不一致の判定は、３スロット毎に行っていた。このため、データチャネルのパケットを受信する区間が終了する前に、制御チャネル受信部１１による判定が開始されていた。すなわち、電源領域Ｃ部８への電源の供給を停止させるのは、制御チャネル受信部１１による判定の後に行えばよかった。しかし、データチャネルのパケットを受信する区間が、３スロット分よりも短かった場合には、データの受信が終了してから制御チャネル受信部１１による判定が終了するまでの間のデータチャネル受信部１２に対する電源の供給は、不要であると考えられる。この間のデータチャネル受信部１２に対する電源の供給を停止させる制御の方法は、２通りの方法が考えられる。１つ目の方法は、１スロット毎に電源制御部１０がデータチャネル受信部１２に対して、データの受信が終了したか否かを確認する方法である。電源制御部１０は、データチャネル受信部１２の受信が終了していることを確認できた場合に、第２のスイッチ部１４ａ、或いは第１のスイッチ部１４ｃをＯＦＦに制御して、電源領域Ｃ部８への電源の供給を停止させ節電モードにする。
【００２９】
２つ目の方法として、データチャネル受信部１２はデータの受信が終了した際に、受信終了を電源制御部１０に通知する方法である。電源制御部１０は、データチャネル受信部１２からデータの受信が終了したことを通知されると、第２のスイッチ部１４ａ、或いは第１のスイッチ部１４ｃをＯＦＦに制御して、電源領域Ｃ部８への電源の供給を停止させ節電モードにする。
【００３０】
実施の形態６．
上記した実施の形態１〜５の制御チャネル受信部１１は、復号器、逆拡散回路、位相補償回路、又はパス合成回路のうち、いずれか１つの或いは複数を備える。また、上記した実施の形態１〜５のデータチャネル受信部１２は、復号器、逆拡散回路、位相補償回路、又はパス合成回路のうち、いずれか１つの或いは複数を備える。上記した逆拡散回路は、同期回路４から出力されるベースバンド信号を逆拡散処理することにより、複数の回路から受信した同一信号を、複数の逆拡散信号にして各々出力する。また、位相補償回路は、各々出力された各逆拡散信号について、各々位相ずれを修正する。また、パス合成回路は、位相ずれが修正された各逆拡散信号を合成して、一つの復調ベースバンド信号を生成する。また、復号器は、パス合成回路から出力された復調ベースバンド信号が入力され、誤り訂正した復調ベースバンド信号を出力する。
【００３１】
実施の形態１〜５のように、制御チャネル受信部１１やデータチャネル受信部１２の消費電力を削減することによって、復号器、逆拡散回路、位相補償回路、又はパス合成回路の消費電力も削減できるので、大幅な消費電力の節約が可能になる。
【００３２】
上記した実施の形態１〜６の受信装置は、以下の効果を奏する。
【００３３】
自受信装置と送信装置とが通信を行わない間は、他の受信装置と上記送信装置とが通信を行っている場合であっても、信号を受信するのに必要な消費電力を削減することができる効果がある。
【００３４】
自受信装置と送信装置とが通信を行わない間は、他の受信装置と上記送信装置とが通信を行っている場合であっても、その他のチャネルの信号を受信するのに使用する受信手段の消費電力も削減することができる効果がある。
【００３５】
消費電力を図りつつ、第１チャネルで伝送される通信用信号を受信できる構成を得る効果がある。
【００３６】
他の受信装置に向けて信号が伝送される第２サブフレームの間、消費電力を節約できる効果がある。
【００３７】
第１サブフレームの先頭スロットの終了時刻から、第２サブフレームの先頭スロットの開始時刻までの間に第２チャネル受信手段で消費する電力を節約することができる効果がある。
【図面の簡単な説明】
【００３８】
【図１】実施の形態１による無線受信装置を示す構成図。
【図２】実施の形態１による無線受信装置を示すタイミングチャート図。
【図３】実施の形態２による無線受信装置を示す構成図。
【図４】実施の形態２による無線受信装置を示すタイミングチャート図。
【図５】実施の形態３による無線受信装置を示す構成図。
【図６】実施の形態３による無線受信装置を示すタイミングチャート図。
【図７】実施の形態４による無線受信装置を示す構成図。
【図８】実施の形態４による無線受信装置を示すタイミングチャート図。
【符号の説明】
【００３９】
１  アンテナ、２  ＲＦ回路、３  受信回路、４  同期回路、５  パケット受信回路、６  電源領域Ａ部、７  電源領域Ｂ部、８  電源領域Ｃ部、９  受信制御プロセッサ、１０  電源制御部、１１  制御チャネル受信部、１１ａ  判定部、１２  データチャネル受信部、１３  電源回路、１４ａ  第２のスイッチ部、１４ｃ，１５ａ，１５ｂ，１５ｄ  第１のスイッチ部、１６  電源部、１７  タイミング通知部、５０  無線受信装置。
【図１】
2005333351.tif 000003
【図２】
2005333351.tif 000004
【図３】
2005333351.tif 000005
【図４】
2005333351.tif 000006
【図５】
2005333351.tif 000007
【図６】
2005333351.tif 000008
【図７】
2005333351.tif 000009
【図８】
2005333351.tif 000010